(57)【要約】  搬送ローラ５およびディスクガイド３を装置本体に対し上下動可能に設けた再生ユニット１と、挿入されたディスク１４を下方に移動させてターンテーブル６上に載置することに連動して、該ディスクと接触しないように前記搬送ローラおよび前記ディスクガイドを互いに異なる移動量で下方に移動させる移動手段と、前記再生ユニットのディスク挿入口側への移動を規制するように該ディスク挿入口の装置本体に取り付けたディスクガイド兼位置規制部材１０２を備えたものである。
2010013374.tif 000002
【特許請求の範囲】
【請求項１】
ディスクを搬送ローラによってディスクガイドに押圧させて該搬送ローラの回転で装置本体に対し挿入／排出を行うディスク装置において、前記搬送ローラおよび前記ディスクガイドを前記装置本体に対し上下動可能に設けた再生ユニットと、前記挿入されたディスクを下方に移動させて前記再生ユニットに設けたターンテーブル上に載置することに連動して、該ディスクと接触しないように前記搬送ローラおよび前記ディスクガイドを互いに異なる移動量で下方に移動させる移動手段と、ディスク挿入口に対応する装置本体に前記再生ユニットのディスク挿入口側への移動を規制するように取り付けたディスクガイド兼位置規制部材とを備えたことを特徴とするディスク装置。
【請求項２】
ディスクガイド兼位置規制部材は、ディスク挿入口側および装置本体内部側に上向き斜面を設けたことを特徴とする請求項１記載のディスク装置。
【発明の詳細な説明】
【技術分野】
【０００１】
本発明は、ディスクを搬送ローラによってディスクガイドに押圧させて該搬送ローラの回転で装置本体に対し挿入／排出を行うディスク装置に関する。
【背景技術】
【０００２】
従来のディスク装置は、ディスク搬送ローラでディスクをディスクガイドに押圧させて該搬送ローラの回転で装置本体に対し挿入／排出を行なっている。ディスクは装置本体内の所定位置に搬送された後、ディスクガイドから離れて再生ユニット上のターンテーブル上に載置されるとともに、搬送ローラはディスクから大きく離れる方向に移動して再生状態となる。このディスク装置において、再生ユニットはディスク待ち受け状態では上下、左右を装置本体に固定、後方への移動が規制されている。しかし、ディスクが挿入方向から移動してくるため、再生ユニットがディスク挿入側に移動することを規制することはできない。【０００３】
また、特許文献１,２に示されたディスク装置は、ディスクを搬送する搬送ローラを保持する保持部材を装置本体（シャーシ）に当接させることにより、再生ユニットが前方に移動することを規制している。
【先行技術文献】
【特許文献】
【０００４】
【特許文献１】特開２００１−３３１９９８号公報
【特許文献２】特開２００３−２１７２０７号公報
【発明の概要】
【０００５】
再生ユニットがディスク待ち受け状態で装置本体に上下、左右を固定されている従来のディスク装置は、クリアランスが小さくでき、ディスクの位置バラツキを抑えることはできるが、固定のための動作負荷が大きくなる。また、再生ユニットは位置が前後方向に安定せず、ディスク排出量や挿入開始位置が一定に保てないため、何かしら規制を設ける必要がある。
【０００６】
一方、特許文献１,２に示されるように、搬送ローラ保持部材を装置本体に当接させることによって再生ユニットが前方に移動することを制限する構成では、搬送ローラ保持部材の回動量により、再生ユニットの固定高さ等の影響で搬送ローラ保持部材と装置本体とのクリアランスが安定して確保することが困難である。また、ディスクを搬送する際に必要となる搬送ローラのディスクへの圧着力は、搬送ローラ保持部材の回動力によって得られるが、搬送ローラ保持部材を装置本体に当接することにより回動負荷が増加し安定した搬送力を得ることができない等の課題があった。
【０００７】
この発明は、上記課題を解決するためになされたもので、ディスクを如何なる角度で挿入しても、ディスクに傷をつけることなく搬送ローラまでガイドでき、かつ、初期位置では再生ユニットがディスク待ち受け状態でディスク挿入口側への移動を規制するとともに、再生状態からディスク排出状態に移行するとき、再生ユニットが初期位置からディスク挿入口側へ移動していても、搬送ローラの上昇力で自動的に初期位置にガイドできるディスク装置を提供することを目的とする。
【０００８】
この発明に係るディスク装置は、ディスクを搬送ローラによってディスクガイドに押圧させて該搬送ローラの回転で装置本体に対し挿入／排出を行うディスク装置において、前記搬送ローラおよび前記ディスクガイドを前記装置本体に対し上下動可能に設けた再生ユニットと、前記挿入されたディスクを下方に移動させて前記再生ユニットに設けたターンテーブル上に載置することに連動して、該ディスクと接触しないように前記搬送ローラおよび前記ディスクガイドを互いに異なる移動量で下方に移動させる移動手段と、ディスク挿入口に対応する装置本体に前記再生ユニットのディスク挿入口側への移動を規制するように取り付けたディスクガイド兼位置規制部材とを備えたものである。
【０００９】
この発明によれば、再生ユニットのディスク挿入口側への移動を規制するように該ディスク挿入口に対応する装置本体にディスクガイド兼位置規制部材を備えた構成であるのでディスクガイド兼位置規制部材とディスクガイドが同一高さ位置にあるディスク待ち受け状態／ディスク挿入状態では、再生ユニットがディスク挿入口側に移動しようとしてもディスクガイドがディスクガイド兼位置規制部材に当接して移動が規制される。このとき、ディスクガイドとディスクガイド兼位置規制部材間にできるクリアランスは小さく、挿入ディスクの位置バラツキを抑えることができる。
また、ディスクガイド兼位置規制部材は、ディスク挿入口側および装置本体内部側に上向き斜面を設けたので、ディスクを挿入口に差し込む際、如何なる角度で挿入されてもディスクを搬送ローラまでガイドでき、しかも、装置本体への接触を妨げ、ディスクに傷をつけることがない。
【００１０】
また、ディスクガイドがディスクガイド兼位置規制部材より下方に移動して弾性支持部材で装置本体に対してフリー状態で支持されている再生状態時に、再生ユニットが車体の振動等を受けてディスク挿入口側に移動していても、搬送ローラの上昇力でディスクガイドがディスクガイド兼位置規制部材の上向き斜面に沿って移動し、自動的に初期位置に再生ユニットをガイドできる。そして、初期位置においてはディスクガイド兼位置規制部材とディスクガイドが同一高さ位置になり、上記のように再生ユニット１がディスク挿入口側への移動を規制できるという効果がある。
【図面の簡単な説明】
【００１１】
【図１】この発明の実施の形態１によるディスク再生装置の分解斜視図である。
【図２】再生ユニットを示す斜視図である。
【図３】再生ユニットに対するディスクの挿入状態を示す斜視図である。
【図４】図３の側面図である。
【図５】図４においてスライド板を取り外して示す側面図である。
【図６】図４の主要部のみを示す側面図である。
【図７】ディスクの挿入を完了した再生ユニットを示す斜視図である。
【図８】図７の側面図である。
【図９】図７においてスライド板を取り外して示す側面図である。
【図１０】図７の主要部のみを示す側面図である。
【図１１】スライド板を図３Ａ−Ａ線に沿って装置内面側から見た正面図である。
【発明を実施するための形態】
【００１２】
以下、この発明をより詳細に説明するために、この発明を実施するための形態について、添付の図面に従って説明する。
実施の形態１．
図１はこの発明の実施の形態１によるディスク再生装置の分解斜視図、図２は再生ユニットを示す斜視図、図３は再生ユニットに対するディスクの挿入状態を示す斜視図、図４は図３の側面図、図５は図４においてスライド板を取り外して示す側面図、図６は図４の主要部のみを示す側面図、図７はディスクの挿入を完了した再生ユニットを示す斜視図、図８は図７の側面図、図９は図７においてスライド板を取り外して示す側面図、図１０は図７の主要部のみを示す側面図、図１１はスライド板を図３Ａ−Ａ線に沿って装置内面側から見た正面図である。
【００１３】
図において、図３に示すように、装置本体の上面板１０１には、ディスク挿入口の略中央部に対応してディスクガイド兼位置規制部材１０２が設けられている。このディスクガイド兼位置規制部材１０２は、ディスク挿入側および装置本体内部側に上向き斜面１０２ａ，１０２ａを有している。
【００１４】
ローラ（ディスク搬送ローラ）５は、両端がローラ支持部材２に回動可能に軸支され、バネ９（図６参照）によりディスクガイド３の裏面側に圧接するよう付勢されている。ローラ支持部材２は、板状体の裏面側に切り起した左右一対の切り起こし片２−１，２−１にそれぞれ設けた取り付け孔（図１の一部きり欠いた部分に図示されている）２ａに再生ユニット１に設けられた左右の支持軸１ａ、１ａを差し込むことで、再生ユニット１に対して回動自在に取り付けられている。また、ローラ支持部材２は、再生ユニット１の両側に設けたスライド板１１の搬送ローラ移動用カム溝１１ａ（図１１参照）に嵌合するピン２ｂを左右側面に備えている。
【００１５】
ディスクガイド３は左右両側に下向きのガイド片３−１、３−１を備え、このガイド片３−１、３−１の内面に設けられたピン３ａ、３ａを再生ユニット１の左右側面に設けられた直立方向に延びる溝１ｂに挿入することで上下動可能に取付けられている。また、下向きガイド片３−１、３−１の外面にはスライド板１１（図３参照）のディスクガイド移動用カム溝１１ｂ（図１１参照）に嵌合するピン３ｂ、３ｂ（左側は不図示）が設けられている。再生ユニット１の内部中央部には、ディスク１４をその中心部で固定するターンテーブル６、このターンテーブル６を回転駆動するスピンドルモータ１０（図６参照）およびディスク１４に記録された信号を読み取る光ピックアップ８が設けられている。なお、ディスクガイド３は保持プレート３０に保持されている。
【００１６】
スライド板１１は図３に示すように、再生ユニット１の両側面（図３は１側面のみを示す）に前後動可能に設けられており、その前部内面には図１１に示すように、搬送ローラ移動用カム溝１１ａとディスクガイド移動用カム溝１１ｂが設けられている。また、後部上面にはクランプ部材１２の規制を開放する欠除部１１ｃが設けられており、この欠除部１１ｃがクランプ部材１２との対応位置に来ると、クランプ部材１２は付勢部材１６の付勢力によってターンテーブル６上に回動して、ディスク１４をターンテーブル６上に押圧してクランプする。
【００１７】
ここで、スライド板１１と、このスライド板１１に形成されたディスクガイド移動用カム溝１１ｂおよび搬送ローラ移動用カム溝１１ａと、ディスクガイド３に設けられ前記ディスクガイド移動用カム溝１１ｂに作用するピン３ｂ、３ｂと、ローラ支持部材２に設けられ前記搬送ローラ移動用カム溝１１ａに作用するピン２ｂ、２ｂとで、搬送ローラ５および前記ディスクガイド３を互いに異なる移動量で下方に移動させる移動手段を構成している。
【００１８】
次に、動作について説明する。
ディスク１４が挿入されるのを待機しているディスク待ち受け状態時および挿入ディスク搬送状態時においては、再生ユニット１は装置本体の両側面に前後動可能に設けられたスライド板１１によって上下、左右を固定、後方への移動が規制されている。しかし、ディスク挿入側、つまり再生ユニット１の前方には該再生ユニット１の動きを規制することができない。
【００１９】
一方、ローラ支持部材２は、図３〜図６に示すように、支持軸１ａ（図１参照）を支点として矢印Ｂ方向（図６参照）へバネ９によって回動付勢され、搬送ローラ５はディスクガイド３の裏面側に付勢されている。また、ディスクガイド３は搬送ローラ５に押し上げられて、溝１ｂ（図１参照）に沿って上方向（矢印Ｃ方向）に移動して位置している。この状態でディスク１４が挿入されると、この挿入を検知した不図示の検知部材で不図示のモータ回路のスイッチを閉じ、このモータ１０の駆動力で搬送ローラ５を回転させ、ディスク１４を搬送ローラ５とディスクガイド３の間に挟み込んで該ローラで装置内へ搬送する。このディスク待ち受け状態時および挿入ディスク搬送状態時において、再生ユニット１は車体の振動によりディスク挿入口側に移動しようとしても、ディスクガイド３の前端面がディスクガイド兼位置規制部材１０２に当接して、その移動が規制される。
【００２０】
図７に示すようにディスク１４の中心部がターンテーブル６上に来ると、その挿入されたディスクで押し動かされたレバー１７（図２，３参照）の動きに連動して、スライド板１１が装置本体の前面側にスライド移動する。このスライド板１１の移動に伴い、再生ユニット１は上下、左右を固定、後方への移動規制が開放され、装置本体に対し弾性支持部材１０３によって防振的に支持される。
【００２１】
このとき、スライド板１１の移動に伴い、スライド板１１の上面で下向き回動を規制されていたクランプ部材１２は、スライド板１１の上面の欠除部１１ｃに対応することにより規制が解除され、付勢部材１６の付勢力で下向きに回動して、図８〜図１０に示すようにディスク１４をターンテーブル６上に押圧保持する。また、ローラ支持部材２は搬送ローラ移動用カム溝１１ａによって回動力を受けて引き下げられるとともに、ディスクガイド３はディスクガイド移動用カム溝１１ｂによって回動力を受けて、ローラ支持部材２とは異なる移動量で引き下げられるとともに、ピン３ａと溝１ｂとの隙間分だけ水平方向に移動する。
【００２２】
この場合、搬送ローラ移動用カム溝１１ａとディスクガイド移動用カム溝１１ｂとの形状差によって、搬送ローラ５および前記ディスクガイド３は互いに異なる移動量で下方に移動する。この結果、装置本体の上面板１０１とディスクガイド３、ディスクガイド３とディスク１４、ディスク１４と搬送ローラ５のそれぞれの間にクリアランスが形成され、装置本体の上面板１０１とディスクガイド３との間では防振が確保される。また、ディスクガイド３とディスク１４、ディスク１４と搬送ローラ５との間では、再生時にディスク１４がディスクガイド３、搬送ローラ５と接触することが防止される。
【００２３】
以上のように、この実施の形態によれば、再生ユニット１のディスク挿入口側への移動を規制するように該ディスク挿入口に対応する装置本体にディスクガイド兼位置規制部材１０２を備えた構成であるので、ディスクガイド兼位置規制部材１０２とディスクガイド３が同一高さ位置にあるディスク待ち受け状態／ディスク挿入状態では、再生ユニット１がディスク挿入口側に移動しようとしてもディスクガイド３がディスクガイド兼位置規制部材１０２に当接して移動が規制される。このとき、ディスクガイド３とディスクガイド兼位置規制部材１０２間にできるクリアランスａは小さく、挿入ディスク１４の位置バラツキを抑えることができる。
【００２４】
また、上記ディスクガイド兼位置規制部材１０２のディスク挿入口側および装置本体の内部側に上向き斜面１０２ａ、１０２ａを設けた構成であるので、ディスク１４を挿入口に差し込む際、如何なる角度で挿入されてもディスク１４を搬送ローラ５までガイドでき、しかも、装置本体への接触を妨げ、ディスク１４に傷をつけることがない。
【００２５】
また、ディスクガイド３がディスクガイド兼位置規制部材１０２より下方に移動して弾性支持部材１０３で装置本体に対しフリー状態で支持されている再生状態時に、再生ユニット１が車体の振動等を受けてディスク挿入口側に移動していても、再生ユニット１が搬送ローラ５の押上げ力を受けて再生位置からディスク排出位置に移行するとき、ディスクガイド３がディスクガイド兼位置規制部材１０２の上向き斜面１０２ａ、１０２ａに沿って移動することにより、自動的に初期位置にガイドされる。そして、ディスクガイド兼位置規制部材１０２とディスクガイド３が同一高さ位置になり、上記のように再生ユニット１がディスク挿入口側への移動を規制できるという効果がある。
【産業上の利用可能性】
【００２６】
以上のように、この発明に係るディスク装置は、ディスクを如何なる角度で挿入しても、ディスクに傷をつけることなく搬送ローラまでガイドでき、かつ、初期位置では再生ユニットがディスク待ち受け状態でディスク挿入口側への移動を規制するとともに、再生状態からディスク排出状態に移行するとき、再生ユニットが初期位置からディスク挿入口側へ移動していても、搬送ローラの上昇力で自動的に初期位置にガイドできるようにするために、ディスク挿入口側の略中央部に対応する装置本体にディスクガイド兼位置規制部材を備えるよう構成したので、前記ディスクを前記搬送ローラによって前記ディスクガイドに押圧させて該搬送ローラの回転で装置本体に対し挿入／排出を行うディスク装置などに用いるのに適している。
【図１】
2010013374.tif 000003
【図２】
2010013374.tif 000004
【図３】
2010013374.tif 000005
【図４】
2010013374.tif 000006
【図５】
2010013374.tif 000007
【図６】
2010013374.tif 000008
【図７】
2010013374.tif 000009
【図８】
2010013374.tif 000010
【図９】
2010013374.tif 000011
【図１０】
2010013374.tif 000012
【図１１】
2010013374.tif 000013
【国際調査報告】
2010013374.tif 000014
2010013374.tif 000015
2010013374.tif 000016
2010013374.tif 000017